(57)【要約】【課題】人体にやさしい光を照射することが可能な照明装置及び照明方法を提供する。【解決手段】照射対象物に対して光を照射する照明装置１であって、光を発する光源１６と、光源１６が発した光が照射対象物に向かう経路上に設けられた青色光低減材３０とを備えている。青色光低減材３０は、青色光低減材３０を透過した透過光の３８０ｎｍ〜５００ｎｍの波長領域における最大強度が、青色光低減材３０に入射する入射光の３８０ｎｍ〜５００ｎｍの波長領域における最大強度の９０％以下となるよう構成されている。【選択図】図３
2015076360.tif 000002
【特許請求の範囲】
【請求項１】
照射対象物に対して光を照射する照明装置であって、
光を発する光源と、
前記光源が発した光が照射対象物に向かう経路上に設けられた青色光低減材と
を備え、
前記青色光低減材は、該青色光低減材を透過した透過光の３８０ｎｍ〜５００ｎｍの波長領域における最大強度が、該青色光低減材に入射する入射光の３８０ｎｍ〜５００ｎｍの波長領域における最大強度の９０％以下となるよう構成されている
ことを特徴とする照明装置。
【請求項２】
照射対象物に対して光を照射する照明装置であって、
光を発する光源と、
前記光源が発した光が照射対象物に向かう経路上に設けられた青色光低減材と
を備え、
前記青色光低減材は、該青色光低減材に入射する入射光の３８０ｎｍ〜５００ｎｍの波長領域における最大強度と、該青色光低減材を透過した透過光の３８０ｎｍ〜５００ｎｍの波長領域における最大強度とから算出される透過率が、前記入射光の５００ｎｍ〜８００ｎｍの波長領域における最大強度と、前記透過光の５００ｎｍ〜８００ｎｍの波長領域における最大強度とから算出される透過率よりも低い透過特性を有している
ことを特徴とする照明装置。
【請求項３】
前記光源が発した光を照射対象物に向けて反射させる反射面を有する反射鏡を更に備え、
前記青色光低減材は、前記反射面上に設けられている
ことを特徴とする請求項１又は２に記載の照明装置。
【請求項４】
前記光源が発した光が照射対象物に向かう経路上に設けられた透光性カバー部材を更に備え、
前記青色光低減材は、前記透光性カバー部材上に設けられている
ことを特徴とする請求項１〜３いずれか１項に記載の照明装置。
【請求項５】
前記光源は、ＬＥＤ素子と、該ＬＥＤ素子の周囲に設けられる透光性キャップ部材とを有し、
前記青色光低減材は、前記透光性キャップ部材上に設けられている
ことを特徴とする請求項１〜４いずれか１項に記載の照明装置。
【請求項６】
医療用照明装置であることを特徴とする請求項１〜５いずれか１項に記載の照明装置。
【請求項７】
照射対象物に対して光を照射する照明方法であって、
光源が発した光が照射対象物に向かう経路上に、透過光の３８０ｎｍ〜５００ｎｍの波長領域における最大強度が、入射光の３８０ｎｍ〜５００ｎｍの波長領域における最大強度の９０％以下となるよう構成された青色光低減材を介在させ、該青色光低減材を透過した前記透過光を照射対象物に対して照射する
ことを特徴とする照明方法。
【請求項８】
照射対象物に対して光を照射する照明方法であって、
光源が発した光が照射対象物に向かう経路上に、入射光の３８０ｎｍ〜５００ｎｍの波長領域における最大強度と、透過光の３８０ｎｍ〜５００ｎｍの波長領域における最大強度とから算出される透過率が、前記入射光の５００ｎｍ〜８００ｎｍの波長領域における最大強度と、前記透過光の５００ｎｍ〜８００ｎｍの波長領域における最大強度とから算出される透過率よりも低い透過特性を有する青色光低減材を介在させ、該青色光低減材を透過した前記透過光を照射対象物に対して照射する
ことを特徴とする照明方法。
【発明の詳細な説明】
【技術分野】
【０００１】
本発明は、照射対象物に対して光を照射する照明装置及び照明方法に関するものである。
【背景技術】
【０００２】
従来、照明装置には、放電式蛍光灯や白熱電球などが広く用いられている。しかしながら、これら放電式蛍光灯や白熱電球は、水銀などの有害な物質が含まれており、また、寿命が短いという問題がある。一方、近年になって、青色に発光する高輝度の青色ＬＥＤが開発されたことにより、従来の放電式蛍光灯や白熱電球に代えて、光源としてＬＥＤを使用したＬＥＤ照明装置が用いられるようになってきている。ＬＥＤを使用した照明装置は、水銀などの有害な物質を含んでおらず、また、長寿命で信頼性が高く低消費電力である等の利点がある。
【０００３】
ＬＥＤ照明装置に用いられるＬＥＤとしては、青色光を発する青色ＬＥＤと、この青色ＬＥＤから発生する青色光で励起される黄色蛍光体とを組み合わせて構成され、青色ＬＥＤが発する青色光と、この青色光で黄色蛍光体を励起して得た黄色光とを混ぜ合わせることにより白色を作出する白色ＬＥＤが一般的である（特許文献１等）。
【先行技術文献】
【特許文献】
【０００４】
【特許文献１】特開２００７−８８０８３号公報
【発明の概要】
【発明が解決しようとする課題】
【０００５】
しかしながら、青色ＬＥＤと黄色蛍光体とからなる白色ＬＥＤを用いた従来のＬＥＤ照明装置では、図１１に示すように、その分光スペクトルにおいて、青色ＬＥＤの発光波長である４５０ｎｍ前後に特に鋭いピークが存在する。このような４５０ｎｍ前後の鋭いピークは、エネルギーが強く、散乱しやすいため、眼に大きな負担をかけるおそれがあり、眼精疲労や眼の痛み、網膜障害等の原因となるおそれがある。また、このような分光スペクトルを有する白色ＬＥＤの光は、メラトニンの分泌量を低下させるおそれがあり、睡眠不足等の健康障害を引き起こすおそれがある。そして、このような人体への負担の問題は、特に医療用照明装置において顕著に生じるものである。すなわち、従来の白色ＬＥＤを手術室の室内照明や無影照明灯に用いた場合、室内照明による１０００ルクス以上の光と、無影照明灯による１０万ルクス以上の光が手術室内に照射されることとなり、施術者や医療従事者は、長時間にわたり、通常の室内照明（２００ルクス程度）の５倍〜５００倍以上という高照度の環境におかれることとなるため、人体に対する負担が特に大きいと考えられる。
【０００６】
そこで、本発明は、人体にやさしい光を照射することが可能な照明装置及び照明方法を提供することを目的とする。
【課題を解決するための手段】
【０００７】
上記の目的を達成するため、本発明に係る一の照明装置は、照射対象物に対して光を照射する照明装置であって、光を発する光源と、前記光源が発した光が照射対象物に向かう経路上に設けられた青色光低減材とを備え、前記青色光低減材は、該青色光低減材を透過した透過光の３８０ｎｍ〜５００ｎｍの波長領域における最大強度が、該青色光低減材に入射する入射光の３８０ｎｍ〜５００ｎｍの波長領域における最大強度の９０％以下となるよう構成されていることを特徴とする。
【０００８】
また、本発明に係る他の照明装置は、照射対象物に対して光を照射する照明装置であって、光を発する光源と、前記光源が発した光が照射対象物に向かう経路上に設けられた青色光低減材とを備え、前記青色光低減材は、該青色光低減材に入射する入射光の３８０ｎｍ〜５００ｎｍの波長領域における最大強度と、該青色光低減材を透過した透過光の３８０ｎｍ〜５００ｎｍの波長領域における最大強度とから算出される透過率が、前記入射光の５００ｎｍ〜８００ｎｍの波長領域における最大強度と、前記透過光の５００ｎｍ〜８００ｎｍの波長領域における最大強度とから算出される透過率よりも低い透過特性を有していることを特徴とする。
【０００９】
これら本発明に係る照明装置において、前記光源が発した光を照射対象物に向けて反射させる反射面を有する反射鏡を更に備え、前記青色光低減材は、前記反射面上に設けられていることが好ましい。
【００１０】
また、本発明に係る照明装置において、前記光源が発した光が照射対象物に向かう経路上に設けられた透光性カバー部材を更に備え、前記青色光低減材は、前記透光性カバー部材上に設けられていることが好ましい。
【００１１】
さらに、本発明に係る照明装置において、前記光源は、ＬＥＤ素子と、該ＬＥＤ素子の周囲に設けられる透光性キャップ部材とを有し、前記青色光低減材は、前記透光性キャップ部材上に設けられていることが好ましい。
【００１２】
本発明に係る照明装置は、医療用照明装置であることが好ましい。
【００１３】
また、本発明に係る一の照明方法は、照射対象物に対して光を照射する照明方法であって、光源が発した光が照射対象物に向かう経路上に、透過光の３８０ｎｍ〜５００ｎｍの波長領域における最大強度が、入射光の３８０ｎｍ〜５００ｎｍの波長領域における最大強度の９０％以下となるよう構成された青色光低減材を介在させ、該青色光低減材を透過した前記透過光を照射対象物に対して照射することを特徴とする。
【００１４】
さらに、本発明に係る他の照明方法は、照射対象物に対して光を照射する照明方法であって、光源が発した光が照射対象物に向かう経路上に、入射光の３８０ｎｍ〜５００ｎｍの波長領域における最大強度と、透過光の３８０ｎｍ〜５００ｎｍの波長領域における最大強度とから算出される透過率が、前記入射光の５００ｎｍ〜８００ｎｍの波長領域における最大強度と、前記透過光の５００ｎｍ〜８００ｎｍの波長領域における最大強度とから算出される透過率よりも低い透過特性を有する青色光低減材を介在させ、該青色光低減材を透過した前記透過光を照射対象物に対して照射することを特徴とする。
【発明の効果】
【００１５】
本発明によれば、人体にやさしい光を照射することが可能な照明装置及び照明方法を提供することができる。
【図面の簡単な説明】
【００１６】
【図１】本発明の第１実施形態に係る医療用照明装置の概略構成を示す正面図である。
【図２】第１実施形態における照明ユニットの概略構成を示す正面図である。
【図３】図２のＡ−Ａ´線に沿った断面の概略構成を拡大して示す拡大断面図である。
【図４】第１実施形態における青色光低減材の透過特性を示すグラフである。
【図５】第１実施形態に係る医療用照明装置の分光スペクトルを示すグラフである。
【図６】本発明の第２実施形態に係る医療用照明装置に用いられる照明ユニットの概略構成を示す断面図である。
【図７】本発明の第３実施形態に係る医療用照明装置の概略構成を示す断面図である。
【図８】本発明の第４実施形態に係る埋込型照明装置の概略構成を示す断面図である。
【図９】図９（ａ）は、本発明の第５実施形態に係る室内照明装置の概略構成を示す斜視図であり、図９（ｂ）は、図９（ａ）のＢ−Ｂ´線に沿った断面の概略構成を示す断面図であり、図９（ｃ）は、図９（ａ）のＣ−Ｃ´線に沿った断面の概略構成を示す断面図である。
【図１０】本発明の第６実施形態に係る照明装置に用いられる光源の概略構成を示す断面図である。
【図１１】青色ＬＥＤと黄色蛍光体とを組み合わせた白色ＬＥＤの分光スペクトルを示すグラフである。
【発明を実施するための形態】
【００１７】
［第１実施形態］
次に、本発明の第１実施形態に係る照明装置について、図面に基づいて説明する。なお、本発明に係る照明装置は、特に用途が限定されるものではないが、例えば、病院・診療所（クリニック）の手術室、処置室、診察室、分娩室などの医療施設や、老人ホームなどの介護施設や、化粧品、衣服及び生鮮食料品などを扱う各種商業施設や、美術館や博物館などの展示施設などの照明装置として好適に用いることができる。以下、第１実施形態の説明では、手術室に用いられる医療用照明装置（無影照明灯）を例に挙げて説明するが、これに限定されるものではない。
【００１８】
第１実施形態に係る医療用照明装置１は、手術室の天井に多関節アーム（図示せず）を介して水平方向及び垂直方向に移動可能に取り付けられた無影照明灯であり、図１に示すように、照射対象物（施術部位）に対して光を照射可能な複数（例えば６つ）の照明ユニット１０と、内視鏡手術時の補助灯として機能する複数（例えば３つ）のアンビエントライト１２と、これら照明ユニット１０及びアンビエントライト１２を支持する外縁が六角形状のハウジング１４と、照明ユニット１０及びアンビエントライト１２の点灯状態及び消灯状態を切り替える切り替え制御等を行う制御部（図示せず）とを備えている。各照明ユニット１０は、それぞれ、ハウジング１４内においてバランスの良い対称性を有する配置で、かつそれぞれの中心軸とハウジング１４の中心軸とが施術部位において一点に収束するように、それぞれハウジング１４の中心に向かって傾斜して設けられている。このように照明ユニット１０が配置されることにより、複数の照明ユニット１０による照明の光野を施術部位の位置で重ね合わせて、施術部位上に一つの光野を形成することができる。また、これら各照明ユニット１０は、多関節アームにより水平方向及び垂直方向に移動可能に取り付けられており、また、傾斜角度及び照度がそれぞれ独立して調整可能に構成されているため、医療用照明装置１は、各照明ユニット１０を照射対象物に対して接近又は離間させる距離遠近による調整や、各照明ユニット１０の傾斜角度を調整することにより実現されるフォーカス調整及び各照明ユニット１０の照度を局所的に調整することにより実現される光野調整等の焦点調整を実施可能に構成されている。
【００１９】
照明ユニット１０は、図２及び図３に示すように、複数の白色ＬＥＤ（光源）１６が取り付けられた基板１８と、各白色ＬＥＤ１６が露出するように基板１８上に取り付けられた反射鏡２０と、反射鏡２０の各反射面２２上に設けられた青色光低減材３０とを備えている。
【００２０】
基板１８は、図２に示すように、略三角形状に形成されており、その頂点から底辺に亘って１−２−３−４のピラミッド配置となるように、１０個の白色ＬＥＤ１６が取り付けられている。また、基板１８には、１０個の白色ＬＥＤ１６を制御するための制御回路（図示せず）が形成されている。
【００２１】
各白色ＬＥＤ１６は、４００〜５００ｎｍの波長領域、特に４５０ｎｍ付近に主発光ピークを有する青色光を発する青色ＬＥＤ（励起光源）と、この青色ＬＥＤから発生する青色光で励起される蛍光体とを組み合わせることにより、白色光を作出するよう構成されている。蛍光体としては、例えば、黄色蛍光体や、赤色蛍光体、緑色蛍光体及び青色蛍光体からなる複合蛍光体等の種々の蛍光体を用いることができる。このように構成された各白色ＬＥＤ１６は、図１１に示す従来の照明装置と同様に、４０００〜５０００Ｋの色温度において、青色ＬＥＤの発光波長である４５０ｎｍ前後に特に鋭いピークが存在する分光スペクトルを有している。
【００２２】
青色光低減材３０は、図３に示すように、反射鏡２０の各反射面２２上に積層されたコーティング材である。この青色光低減材３０は、図４に示すように、青色光低減材３０に入射する入射光（白色ＬＥＤ１６が発した光）の３８０ｎｍ〜５００ｎｍの波長領域における最大強度Ｘ１（図１１参照）と、青色光低減材３０を透過した透過光（照射対象物に照射される光）の３８０ｎｍ〜５００ｎｍの波長領域における最大強度Ｘ２（図５参照）とから算出される透過率が、入射光の５００ｎｍ〜８００ｎｍの波長領域における最大強度Ｙ１（図１１参照）と、透過光の５００ｎｍ〜８００ｎｍの波長領域における最大強度Ｙ２（図５参照）とから算出される透過率よりも低い透過特性（透過スペクトル）を有している。好適には、青色光低減材３０は、３８０ｎｍ〜５００ｎｍの波長領域の光の平均透過率が、５００ｎｍ〜８００ｎｍの波長領域の光の平均透過率よりも低い透過特性を有している。
【００２３】
また、青色光低減材３０は、図５及び図１１に示すように、透過光の３８０ｎｍ〜５００ｎｍの波長領域における最大強度Ｘ２が、入射光の３８０ｎｍ〜５００ｎｍの波長領域における最大強度Ｘ１の９０％以下、好ましくは８５％以下、さらに好ましくは８０％以下となるよう構成されている。この場合において、青色光低減材３０は、図４に示すように、３８０ｎｍ〜５００ｎｍの波長領域において最大強度となる波長（図示の例では４５０ｎｍ前後）の光の透過率が９０％以下、好ましくは８５％以下、さらに好ましくは８０％以下である。さらに好適には、青色光低減材３０は、３８０ｎｍ〜５００ｎｍの波長領域の光の平均透過率が９０％以下、好ましくは８５％以下、さらに好ましくは８０％以下である。
【００２４】
さらに、青色光低減材３０は、図１１に示す分光スペクトルを有する光を透過させた際に、その透過光の分光スペクトルが、図５に示すように、波長３８０ｎｍ〜５００ｎｍの範囲における最大発光強度Ｘ２が、波長５００ｎｍ〜８００ｎｍの範囲における最大発光強度Ｙ２よりも低い分光スペクトルとなるような透過特性を有している。なお、図５及び図１１に示す分光スペクトルは、光の色温度が４０００〜５０００Ｋである場合の分光スペクトルを示している。光の色温度が５０００Ｋ以上、例えば５０００〜５５００Ｋである場合には、透過光の分光スペクトルが、波長３８０ｎｍ〜５００ｎｍの範囲における最大発光強度Ｘ２が、波長５００ｎｍ〜８００ｎｍの範囲における最大発光強度Ｙ２の１２０％以下である分光スペクトルとなるような透過特性を有していれば良い。
【００２５】
青色光低減材３０は、ＳｉＯ２、Ｔａ２Ｏ５、ＺｒＯ２、金属クロム、アルミニウム、チタン及びその他の導電性酸化化合物等から選択される少なくとも１種の材料から構成されている。導電性酸化化合物としては、例えば、酸化インジウム、酸化スズ若しくは酸化亜鉛又はこれらの複合酸化物を用いることができる。この青色光低減材３０は、真空蒸着法、イオンプレーティング法、プラズマＣＶＤ法、イオンアシスト法又は反応性スパッタリング法等の適宜の方法によって、膜厚１〜１０μｍとなるように反射鏡２０の反射面２２上に蒸着されている。なお、青色光低減材３０を反射面２２に蒸着させる方法としては、良好な密着性を得ることが可能な真空蒸着法が特に好ましい。また、青色光低減材３０は、単層であっても良いし、１種若しくは２種以上の材料からなる積層体であっても良い。
【００２６】
反射鏡２０は、図２に示すように、基板１８と大きさが一致する略三角形状に形成されており、各白色ＬＥＤ１６と整合する位置にそれぞれ、各白色ＬＥＤ１６を露出させるための開口部２４が形成されている。各開口部２４は、図３に示すように、背面側（基板１８との接触面側）から正面側（照射対象物に対向する面側）に亘って拡径となる略円錐台形状に形成されている。各開口部２４は、その内壁面に鏡面加工が施されるか、又はその内壁面が鏡面となる材質、例えばアルミニウム等で形成されることにより、各白色ＬＥＤ１６が発した光を照射対象物に向けて反射させ、照射対象物上に照明の光野を形成する反射面２２として機能するよう構成されている。この反射鏡２０は、反射面２２に上述の透過特性を有する青色光低減材３０が設けられることにより、３８０ｎｍ〜５００ｎｍの波長領域の光に対する反射率が９０％以下、好ましくは８５％以下、さらに好ましくは８０％以下となるような反射特性を有している。
【００２７】
以上のような構成要素を備える医療用照明装置１は、白色ＬＥＤ１６が発した光が照射対象物に到達する光経路に青色光低減材３０が設けられており、青色光低減材３０を透過した透過光が照射対象物に対して照射されるよう構成されている。すなわち、第１実施形態に係る医療用照明装置１を用いて照射対象物を照射する方法（照明方法）は、光を発する白色ＬＥＤ１６と照射対象物との間に、上述の透過特性を有する青色光低減材３０を介在させ、青色光低減材３０を透過した透過光を照射対象物に対して照射するものである。
【００２８】
このような医療用照明装置１及び照明方法によれば、光源として、図１１に示すような４５０ｎｍ前後に特に鋭いピークが存在する分光スペクトルを有する白色ＬＥＤ１６を用いた場合であっても、特定の透過特性を有する青色光低減材３０を光経路上に介在させることによって、４５０ｎｍ前後の波長の光を１０％以上、好ましくは１５％以上、さらに好ましくは２０％以上カット（低減）させることができる。これにより、第１実施形態に係る医療用照明装置１によれば、照射対象物に対して照射される光を、図５に示すような、４５０ｎｍ前後の鋭いピークが抑えられた（低減された）人体にやさしい光とすることができる。そして、このような利点は、施術者や医療従事者が長時間にわたり高照度環境下におかれる医療施設において、特に顕著となるものである。
【００２９】
本発明に係る照明装置及び照明方法は、上述した実施形態に限定されるものではなく、本発明の技術思想を逸脱しない範囲内において種々の改変を行なうことができる。
【００３０】
［第２実施形態］
例えば、上述した第１実施形態に係る医療用照明装置１では、白色ＬＥＤ１６を露出させるための開口部２４を反射面２２として機能させる構成を例に挙げて説明したが、これに限定されず、反射鏡は、白色ＬＥＤが発した光を照射対象物に向けて反射させるように構成されるものであれば良く、例えば図６に示す第２実施形態のように、白色ＬＥＤ１１６を反射面１２２に対向配置させる構成としても良い。
【００３１】
すなわち、第２実施形態に係る医療用照明装置の照明ユニット１１０は、図６に示すように、照射対象物に向けて開口する複数の凹部が形成された反射鏡１２０と、反射鏡１２０の開口面側（照射対象物側の面）上に設けられた基板１１８と、基板１１８の反射鏡１２０の各凹部と整合する位置に設けられた複数の白色ＬＥＤ１１６と、反射鏡１２０の各反射面１２２上に設けられた青色光低減材１３０とを備えている。
【００３２】
反射鏡１２０の各凹部は、白色ＬＥＤ１１６に向かって凹状の円錐曲面を有し、その内壁面に鏡面加工が施されるか、又はその内壁面が鏡面となる材質、例えばアルミニウム等で形成されることにより、各白色ＬＥＤ１１６が発した光を照射対象物に向けて反射させ、照射対象物上に照明の光野を形成する反射面１２２として機能するよう構成されている。この反射鏡１２０は、反射面１２２に所定の透過特性を有する青色光低減材１３０が設けられることにより、３８０ｎｍ〜５００ｎｍの波長領域の光に対する反射率が９０％以下、好ましくは８５％以下、さらに好ましくは８０％以下となるような反射特性を有している。白色ＬＥＤ１１６は、反射面１２２の焦点位置に位置するように配置されており、基板１１８は、反射面１２２により反射された光が通過可能な形状、例えば三叉状に形成されている。なお、白色ＬＥＤ１１６及び青色光低減材１３０は、第１実施形態に係る医療用照明装置１で用いた白色ＬＥＤ１６及び青色光低減材３０と同じものを用いることができるため、その説明を省略する。
【００３３】
以上のように構成された第２実施形態に係る医療用照明装置によっても、第１実施形態に係る医療用照明装置１と同様に、人体にやさしい光を照射することができる。
【００３４】
［第３実施形態］
上述した第１実施形態に係る医療用照明装置１では、各照明ユニット１０が、白色ＬＥＤ１６が発した光を照射対象物に向けて反射させる反射面２２を有する反射鏡２０を備え、青色光低減材３０が、反射面２２上に設けられているものとして説明したが、これに限定されず、青色光低減材は、例えば図７に示す第３実施形態のように、反射鏡２２０の反射面２２２に青色光低減材が設けられず、白色ＬＥＤ２１６が発した光が照射対象物に向かう経路上に設けられた透光板（透光性カバー部材）２４０上に青色光低減材２３０が設けられる構成としても良い。
【００３５】
すなわち、第３実施形態に係る医療用照明装置は、図７に示すように、第１実施形態に係る医療用照明装置１の基板１８、白色ＬＥＤ１６及び反射鏡２０と同様の構成を備える基板２１８、白色ＬＥＤ２１６及び反射鏡２２０と、反射鏡２２０の開口部２２４を覆うように反射鏡２２０の正面側（照射対象物に対向する面側）に設けられた透光板２４０と、透光板２４０上に積層された青色光低減材２３０とを備えている。透光板２４０は、所定の透過特性を有する青色光低減材２３０が設けられることにより、３８０ｎｍ〜５００ｎｍの波長領域の光に対する透過率が９０％以下、好ましくは８５％以下、さらに好ましくは８０％以下となるような透過特性を有している。なお、青色光低減材２３０は、第１実施形態に係る医療用照明装置１で用いた青色光低減材３０と同じものを用いることができるため、その説明を省略する。また、第３実施形態に係る医療用照明装置において、青色光低減材は、透光板２４０に加え、反射鏡２２０の反射面２２２上にも設けられるとしても良い。
【００３６】
以上のように構成された第３実施形態に係る医療用照明装置によっても、第１実施形態に係る医療用照明装置１と同様に、人体にやさしい光を照射することができる。
【００３７】
［第４実施形態］
上述した第１実施形態では、医療用照明装置（無影照明灯）を例に挙げて説明したが、これに限定されず、例えば図８に示す第４実施形態のように、天井等に埋設される円形状の埋込型照明装置（ダウンライト）であるとしても良い。
【００３８】
すなわち、第４実施形態に係る埋込型照明装置３０１は、天井等に埋設可能に構成されており、図８に示すように、白色ＬＥＤ３１６が取り付けられた基板３１８と、白色ＬＥＤ３１６が露出するように基板３１８上に取り付けられた反射鏡３２０と、反射鏡３２０の開口部を覆うように反射鏡３２０の正面側（照射対象物に対向する面側）に設けられた半円球状の透光性カバー部材３４０と、反射鏡３２０の反射面３２２上及び透光性カバー部材３４０上に設けられた（積層された）青色光低減材３３０ａ，３３０ｂとを備えている。反射鏡３２０は、反射面３２２に所定の透過特性を有する青色光低減材３３０ａが設けられることにより、３８０ｎｍ〜５００ｎｍの波長領域の光に対する反射率が９０％以下、好ましくは８５％以下、さらに好ましくは８０％以下となるような反射特性を有している。また、透光性カバー部材３４０は、所定の透過特性を有する青色光低減材３３０ｂが設けられることにより、３８０ｎｍ〜５００ｎｍの波長領域の光に対する透過率が９０％以下、好ましくは８５％以下、さらに好ましくは８０％以下となるような透過特性を有している。なお、白色ＬＥＤ３１６及び青色光低減材３３０ａ，３３０ｂは、第１実施形態に係る医療用照明装置１で用いた白色ＬＥＤ１６及び青色光低減材３０と同じものを用いることができるため、その説明を省略する。また、第４実施形態に係る埋込型照明装置３０１において、青色光低減材３３０ａ，３３０ｂは、反射鏡３２０の反射面３２２及び透光性カバー部材３４０のいずれか一方にのみ設けられるとしても良い。
【００３９】
以上のように構成された第４実施形態に係る埋込型照明装置によっても、第１実施形態に係る医療用照明装置１と同様に、人体にやさしい光を照射することができる。
【００４０】
［第５実施形態］
また、本発明に係る照明装置は、上述した第４実施形態の円形状埋込型照明装置（ダウンライト）の他にも様々な種類の照明装置として用いることができ、例えば図９に示す第５実施形態のように、天井等に埋設される矩形状の埋込型照明装置（スクエア照明装置）としても良い。
【００４１】
すなわち、第５実施形態に係る埋込型照明装置４０１は、図９（ａ）〜図９（ｃ）に示すように、天井等に埋設可能に構成された矩形筒状のハウジング４１４と、ハウジング４１４の下端開口を覆うように設けられた矩形状の透光板（透光性カバー部材）４４０と、ハウジング４１４の上端開口を覆うように設けられた矩形状の基板４１８と、基板４１８の透光板４４０と対向する面に取り付けられた複数の白色ＬＥＤ４１６と、複数の白色ＬＥＤ４１６が発した光を照射対象物に向けて反射させるように設けられた反射鏡４２０と、反射鏡４２０の反射面４２２上及び透光板４４０上に設けられた（積層された）青色光低減材４３０ａ，４３０ｂとを備えている。白色ＬＥＤ４１６は、基板４１８の長手方向に沿って一列設けられている。反射鏡４２０は、基板４１８の幅方向に沿った断面形状が、白色ＬＥＤ４１６を中心として背面側（基板４１８との接触面側）から正面側（照射対象物に対向する面側）に亘って拡径となる略円錐台形状に形成されている。また、反射鏡４２０は、反射面４２２に所定の透過特性を有する青色光低減材４３０ａが設けられることにより、３８０ｎｍ〜５００ｎｍの波長領域の光に対する反射率が９０％以下、好ましくは８５％以下、さらに好ましくは８０％以下となるような反射特性を有している。また、透光板４４０は、所定の透過特性を有する青色光低減材４３０ｂが設けられることにより、３８０ｎｍ〜５００ｎｍの波長領域の光に対する透過率が９０％以下、好ましくは８５％以下、さらに好ましくは８０％以下となるような透過特性を有している。なお、白色ＬＥＤ４１６及び青色光低減材４３０ａ，４３０ｂは、第１実施形態に係る医療用照明装置１で用いた白色ＬＥＤ１６及び青色光低減材３０と同じものを用いることができるため、その説明を省略する。また、第５実施形態に係る埋込型照明装置４０１において、青色光低減材４３０ａ，４３０ｂは、反射鏡４２０の反射面４２２及び透光板４４０のいずれか一方にのみ設けられるとしても良い。
【００４２】
以上のように構成された第５実施形態に係る埋込型照明装置によっても、第１実施形態に係る医療用照明装置１と同様に、人体にやさしい光を照射することができる。
【００４３】
［第６実施形態］
また、上述した第１〜第５実施形態では、反射鏡の反射面上、及び／又は、透光性カバー部材上に青色光低減材が設けられるものとして説明したが、これに限定されず、例えば図１０に示す第６実施形態のように、白色ＬＥＤ５１６の表面上に青色光低減材５３０が設けられるとしても良い。
【００４４】
すなわち、第６実施形態に係る照明装置は、図１０に示すように、ＬＥＤ素子５１６ａと、このＬＥＤ素子５１６ｂの周囲に設けられたモールド部材（透光性キャップ部材）５１６ｂとを有する白色ＬＥＤ５１６と、モールド部材５１６ｂの表面上に設けられた（積層された）青色光低減材５３０とを備えている。モールド部材５１６ｂは、所定の透過特性を有する青色光低減材５３０が設けられることにより、３８０ｎｍ〜５００ｎｍの波長領域の光に対する透過率が９０％以下、好ましくは８５％以下、さらに好ましくは８０％以下となるような透過特性を有している。なお、青色光低減材５３０は、第１実施形態に係る医療用照明装置１で用いた青色光低減材３０と同じものを用いることができるため、その説明を省略する。また、第６実施形態に係る照明装置において、青色光低減材５３０が積層された白色ＬＥＤ５１６以外の構成は、第１〜第５実施形態に係る照明装置と同様とすることができるため、その説明を省略する。
【００４５】
以上のように構成された第６実施形態に係る照明装置によっても、第１実施形態に係る医療用照明装置１と同様に、人体にやさしい光を照射することができる。
【００４６】
［その他の代替例］
上述した第１〜第６実施形態の他に、例えば、以下の代替例を採用することができる。なお、これら代替例は例示であり、以下の態様に限定されるものではない。
【００４７】
第１〜第６実施形態に係る説明では、青色光低減材の特性を透過スペクトル（透過率）により定義したが、これに限定されず、上述した透過特性と同視し得るものであれば、反射スペクトル（反射率）等の種々の方法により青色光低減材の特性を定義しても良い。
【００４８】
青色光低減材は、上述の透過特性を有するものであれば、その態様は特に限定されず、例えば、上述した蒸着の態様の他、上述した透過特性を有する液状物質を塗布して硬化させる態様や、上述した透過特性を有するシート状（フィルム状）物質を貼着させる態様や、上述した透過特性を有する物質で構成された又は当該物質が設けられた別部材（キャップ部材等）を取り付ける態様など、種々の態様とすることができる。
【００４９】
また、上述した実施形態において、青色光低減材は、３８０ｎｍ〜５００ｎｍの波長領域における入射光の最大強度Ｘ１と透過光の最大強度Ｘ２とから算出される透過率が、５００ｎｍ〜８００ｎｍの波長領域における入射光の最大強度Ｙ１と透過光の最大強度Ｙ２とから算出される透過率よりも低い透過特性を有し、かつ、３８０ｎｍ〜５００ｎｍの波長領域における透過光の最大強度Ｘ２が入射光の最大強度Ｘ１の９０％以下となるよう構成されるものとして説明したが、これに限定されず、３８０ｎｍ〜５００ｎｍの波長領域における上述の透過率が、５００ｎｍ〜８００ｎｍの波長領域における上述の透過率よりも低い透過特性を有するか、又は、３８０ｎｍ〜５００ｎｍの波長領域における透過光の最大強度Ｘ２が入射光の最大強度Ｘ１の９０％以下となるよう構成されるものであれば良い。なお、上述した実施形態において、透過率とは、反射鏡の反射面に青色光低減材を設ける場合においては、青色光低減材に入射した光が反射面に反射されて青色光低減材から出射される光経路における透過率をいい、透光性カバー部材上又は透光性キャップ部材上に青色光低減材を設ける場合においては、青色光低減材に入射した光が青色光低減材から出射される光経路における透過率をいうものとする。また、青色光低減材としては、例えば特開２０１３−９７１６０号公報等に記載された公知の蒸着膜を採用することもできる。
【００５０】
さらに、第３〜第６実施形態では、透光性カバー部材上又は透光性キャップ部材上に青色光低減材をコーティングさせる態様について説明したが、これに限定されず、透光性カバー部材及び透光性キャップ部材を形成する樹脂材料（例えば、アクリルやポリカーボネイト等）若しくはガラス材料に、ヒドロキシアントラキノン、ビオラントロン、ニトロフェニラゾ、ナフトール等のピンク系若しくはイエロー系色素や、種々の青色光吸収物質を含有させることにより、透光性カバー部材や透光性キャップ部材自体を青色光低減材として機能させる態様としても良い。
【符号の説明】
【００５１】
１  照明装置、１６，１１６，２１６，３１６，４１６，５１６  光源、２０，１２０，２２０，３２０，４２０  反射鏡、２２，１２２，２２２，３２２，４２２  反射面、３０，１３０，２３０，３３０ａ，３３０ｂ，４３０ａ，４３０ｂ，５３０  青色光低減材、２４０，３４０，４４０  透光板、５１６ａ  ＬＥＤ素子、５１６ｂ  透光性キャップ部材
【図１】
2015076360.tif 000003
【図２】
2015076360.tif 000004
【図３】
2015076360.tif 000005
【図４】
2015076360.tif 000006
【図５】
2015076360.tif 000007
【図６】
2015076360.tif 000008
【図７】
2015076360.tif 000009
【図８】
2015076360.tif 000010
【図９】
2015076360.tif 000011
【図１０】
2015076360.tif 000012
【図１１】
2015076360.tif 000013